(57)【要約】【課題】施工や器具の設置を効率よく行うことが可能な設備機器の設置構造等を提供する。【解決手段】照明器具２０の設置構造１０は、膜材６による天井に設けられる。設置構造１０は、吊材１１と、吊材１１によって構造体５から吊られ、膜材６の上方に膜材６から離隔して配置される横材１４と、横材１４に取付けられ、膜材６を貫通し、照明器具２０を膜材６の下方で固定するための固定金具１５と、を有する。この設置構造１０によって、照明器具２０を天井の膜材６と干渉せずに取付けることができる。【選択図】図３
2019112847.tif 000002
【特許請求の範囲】
【請求項１】
柔軟性を有する天井面材による天井に設けられる設備機器の設置構造であって、
吊材と、
前記吊材によって構造体から吊られ、前記天井面材の上方に前記天井面材から離隔して配置される横材と、
前記横材に取付けられ、前記設備機器を前記天井面材の下方で固定するための固定部と、
を有することを特徴とする設備機器の設置構造。
【請求項２】
水平方向に対して斜めに設けられた、前記設置構造を補強するための補強材を有することを特徴とする請求項１記載の設備機器の設置構造。
【請求項３】
前記固定部は、前記設備機器の高さを調整可能であることを特徴とする請求項１または請求項２記載の設備機器の設置構造。
【請求項４】
前記固定部は、前記横材を下から覆い、前記固定部を前記横材に引掛けて保持可能とするための保持部を有することを特徴とする請求項１から請求項３のいずれかに記載の設備機器の設置構造。
【請求項５】
前記横材に、前記固定部を取付ける際の目印となるマーキングが形成されたことを特徴とする請求項１から請求項４のいずれかに記載の設備機器の設置構造。
【請求項６】
前記設備機器は照明器具であることを特徴とする請求項１から請求項５のいずれかに記載の設備機器の設置構造。
【請求項７】
請求項１から請求項６のいずれかに記載の設備機器の設置構造と、
前記天井面材を支持する野縁と、
を有し、
前記野縁は、
第１の野縁材と、
２本の前記第１の野縁材を接続すると共に、前記第１の野縁材と交差する方向に延びる第２の野縁材と、
２本の前記第２の野縁材を接続すると共に、前記第１の野縁材と平行に延びる第３の野縁材と、
前記第１の野縁材及び前記第３の野縁材を接続すると共に、前記第２の野縁材と平行に延びる第４の野縁材と、
を備え、
前記第２の野縁材の両端部は、それぞれ前記第１の野縁材の側面に対向し、
前記第３の野縁材の両端部は、それぞれ前記第２の野縁材の側面に対向し、
前記第４の野縁材の一方の端部は、前記第３の野縁材の側面に対向し、他方の端部は前記第１の野縁材の側面に対向することを特徴とする天井構造。
【発明の詳細な説明】
【技術分野】
【０００１】
本発明は、設備機器の設置構造および天井構造に関する。
【背景技術】
【０００２】
プラスターボードなどを天井面材とした一般的な天井への照明等の設置は、天井面材の施工後に天井面材に必要な開口を開け、天井面材に器具の全部あるいは一部の荷重を載せ掛けることで成立している。しかしながら、膜材のような柔らかい材質の天井面材を有する天井では上記のように荷重を掛けることができず、照明器具などを直接設置することができない。
【０００３】
これに対し、特許文献１、２には、天井面材に空けた貫通孔を通して、吊材により照明器具や煙感知器を構造躯体から直接吊り下げる設置構造が開示されている。
【先行技術文献】
【特許文献】
【０００４】
【特許文献１】特開2006−226074号公報
【特許文献２】実開昭59-134219号公報
【発明の概要】
【発明が解決しようとする課題】
【０００５】
しかし、特許文献１、２の方法では、吊り下げる設備機器ごとに吊材が必要であるため、施工や器具の設置の効率面で課題があり、また照明の位置が揃わず意匠面での課題もあった。
【０００６】
本発明は上記の問題に鑑みてなされたものであり、施工や器具の設置を効率よく行うことが可能な設備機器の設置構造等を提供することを目的とする。
【課題を解決するための手段】
【０００７】
前述した課題を解決するための第１の発明は、柔軟性を有する天井面材による天井に設けられる設備機器の設置構造であって、吊材と、前記吊材によって構造体から吊られ、前記天井面材の上方に前記天井面材から離隔して配置される横材と、前記横材に取付けられ、前記設備機器を前記天井面材の下方で固定するための固定部と、を有することを特徴とする設備機器の設置構造である。
【０００８】
本発明によれば、照明器具等の設備機器を柔軟性を有する天井面材と干渉せずに取付けることができ、設置構造全体としても天井面材に荷重をかけずにすむ。しかも、設備機器は固定部により横材の任意の位置に取付けることができ設置時の自由度が高く、設備機器ごとに吊材を設ける必要もないので施工時や器具設置時の効率面で優れている。
【０００９】
水平方向に対して斜めに設けられた、前記設置構造を補強するための補強材を有することが望ましい。
これにより、設備機器の設置構造の耐震性を向上させることができる。
【００１０】
前記固定部は、前記設備機器の高さを調整可能であることが望ましい。
これにより、施工現場に応じて設備機器の高さを調整し、天井面材との干渉を防ぐことができる。また施工精度の向上にも寄与する。
【００１１】
前記固定部は、前記横材を下から覆い、前記固定部を前記横材に引掛けて保持可能とするための保持部を有することが望ましい。
これにより、固定部を下方から容易に取付けることができる。
【００１２】
前記横材に、前記固定部を取付ける際の目印となるマーキングが形成されることが望ましい。
これにより、固定部の位置決めを、床レベルからの墨出しではなく横材上の位置決めにより行うことができ、施工が容易となる。
【００１３】
前記設備機器は例えば照明器具である。
本発明では、横材に沿って複数の照明器具を設置することでライン照明を簡単に形成でき、意匠面で優れている。
【００１４】
第２の発明は、第１の発明の設備機器の設置構造と、前記天井面材を支持する野縁と、を有し、前記野縁は、第１の野縁材と、２本の前記第１の野縁材を接続すると共に、前記第１の野縁材と交差する方向に延びる第２の野縁材と、２本の前記第２の野縁材を接続すると共に、前記第１の野縁材と平行に延びる第３の野縁材と、前記第１の野縁材及び前記第３の野縁材を接続すると共に、前記第２の野縁材と平行に延びる第４の野縁材と、を備え、前記第２の野縁材の両端部は、それぞれ前記第１の野縁材の側面に対向し、前記第３の野縁材の両端部は、それぞれ前記第２の野縁材の側面に対向し、前記第４の野縁材の一方の端部は、前記第３の野縁材の側面に対向し、他方の端部は前記第１の野縁材の側面に対向することを特徴とする天井構造である。
【００１５】
第２の発明では、天井面材を上記の野縁によって支持することで、野縁材の間隔を広げ鋼材量を減らしてより軽量としつつ、安全性や耐久性を高めることができ、前記した設置構造による設備設置の自由度が高まる。
【発明の効果】
【００１６】
本発明により、施工や器具の設置を効率よく行うことが可能な設備機器の設置構造等を提供することができる。
【図面の簡単な説明】
【００１７】
【図１】天井構造１を示す図。
【図２】天井裏の平面を見た図。
【図３】設置構造１０を示す図。
【図４】横材１４を示す図。
【図５】吊り金物１２ａ、１２ｂおよび横材１４ａの例。
【図６】固定金具１５ａの例。
【図７】固定金具１５ｂの例。
【図８】野縁２’を示す図。
【図９】金物３０を示す図。
【図１０】金物４０を示す図。
【発明を実施するための形態】
【００１８】
以下、図面に基づいて本発明の好適な実施形態について詳細に説明する。
【００１９】
（１．天井構造１）
図１は本発明の実施形態に係る設備機器の設置構造１０を有する天井構造１を示す図であり、図２は天井裏の平面を見た図である。
【００２０】
天井構造１は、図２に示すように等間隔で平行に配置された野縁２の上に、野縁２と直交する方向の野縁受け３を等間隔で平行に取付け、この野縁受け３を吊材４を介してスラブ等の構造体５に支持させたものである。膜材６は野縁２に取付けて支持され、この膜材６が天井面を構成する天井面材となる。この天井構造１は膜材６を用いたいわゆる軽量天井である。
【００２１】
野縁２や野縁受け３は天井下地を構成する鋼材である。鋼材としてはLGS等の軽量鋼が用いられるが、これに限ることはない。
【００２２】
吊材４には吊りボルト等が用いられ、野縁受け３を吊り支持する。
【００２３】
膜材６は、ポリエステル樹脂などの合成樹脂による不織布の両面にガラス繊維などによる不燃層を設けたものであり、薄厚で柔軟性を有し、且つ軽量である。ただし、天井面材がこのような膜材６に限ることはない。天井面材としては少なくとも柔軟性を有していればよく、各種の布材を用いた膜材や、柔軟性を有するその他の軽量天井材を用いることができる。ここで、天井面材が柔軟性を有するとは、野縁２などの天井下地に取付けられていない状態の天井面材そのものが、その弾性又は可とう性により少なくとも面外方向に変形可能であることをいうものとする。
【００２４】
（２．設備機器の設置構造１０）
図３は設備機器の設置構造１０を図２の矢印ａに示す方向から見た図であり、図４は設置構造１０の横材１４を示す図である。
【００２５】
図３に示すように、設置構造１０は、吊材１１、吊り金物１２、補強材１３、横材１４、固定金具１５等を有する。この設置構造１０は、設置構造１０に取付ける照明器具２０とあわせて前記した野縁２、野縁受け３、吊材４、膜材６とは別の独立した機構として構成される。すなわち、この設置構造１０はこれらの部材とは干渉せず、各部材に荷重を負担させないようになっている。
【００２６】
吊材１１は、構造体５から横材１４を吊り支持するためのものであり、吊材４とは別の吊りボルト等が用いられる。図４に示すように、横材１４は複数の吊材１１を用いて支持される。隣接する吊材１１同士を連結材等で連結し、補強することも可能である。
【００２７】
吊り金物１２は、各吊材１１の下端部に取付けられ、横材１４を保持するものである。吊り金物１２は、頂板１２１、側板１２２、１２４および底板１２３等を有し、頂板１２１と底板１２３の側辺同士を側板１２２で連結し、底板１２３の上記側辺と反対側の側辺から上方に延びるように側板１２４を設けたものである。横材１４は側板１２２、１２４および底板１２３で囲まれた内部空間に収容される。
【００２８】
補強材１３は設置構造１０を補強してその耐震性等を向上させ、地震時等の落下を防ぐための補強ブレースであり、その下端部を吊材１１の下部に取付け、上端部を構造体５に取付けることで水平方向に対し斜めに傾斜して配置される。ただし、補強材１３の下端部の取付位置や固定方法は特に限定されない。また場合によっては補強材１３を省略することも可能である。
【００２９】
横材１４は、照明器具２０を連続的に設置させるための長尺材（レースウェイ）であり、野縁２の上方に膜材６及び野縁２から離隔して配置され、水平方向に延びるように設けられる。
【００３０】
図２に示すように、横材１４は平面において野縁受け３に平行に配置され、複数の野縁２と直交する。仮に横材１４が平面において野縁受け３と交差する場合、横材１４は野縁受け３より上方に配置しなければならず、横材１４と膜材６の距離が離れて後述する固定金具１５を長くする必要がある。しかしながら本実施形態では横材１４を野縁受け３と平行に配置するので、横材１４は野縁２より上方に配置すればよく、横材１４と膜材６の距離を近付けて後述する固定金具１５の長さを短くすることができ、地震時の揺れに対する耐震性を高めることができる。
【００３１】
ただし、横材１４の配置はこれに限らない。例えば隣り合う２本の横材１４の間をつなぐように横材１４を設け、これらの横材１４を格子状あるいは梯子状に配置することも可能である。
【００３２】
本実施形態では横材１４として略凹字状の断面を有する鋼材が用いられ、その内部空間に照明器具２０の電気配線を配設することも可能である。鋼材としてはLGS等の軽量鋼が用いられるが、横材１４の素材や形状等は特に限定されない。
【００３３】
固定金具１５（固定部）は、照明器具２０を膜材６の下方に設置して固定するためのものであり、照明器具２０の荷重を膜材６に伝えないよう、膜材６からある程度の離隔をもって照明器具２０を支持できる高さ調整機構を備えている。固定金具１５の上端は横材１４に取付けられ、固定金具１５の下端に照明器具２０が取付けられる。高さ調整機構は特に限定されないが、例えば固定金具１５の上端に設けたネジを横材１４のネジ孔（不図示）に螺合させ、当該ネジの締込量を調整することで照明器具２０の高さを調整可能である。
【００３４】
固定金具１５は、天井面の下方から膜材６の開口６１を貫通させて横材１４の任意の平面位置に取付けることが可能である。そのため、照明器具２０は横材１４に沿った任意の平面位置に取付けることが可能である。固定金具１５と開口６１の開口縁の間には一定のクリアランスを設けることが望ましい。
【００３５】
固定金具１５は横材１４に対して脱着自在であり、膜材６を設置する前に予め位置決めして横材１４に取付けておくことも可能である。膜材６を設置する際は、予め用意した膜材６の開口６１に固定金具１５を通せばよく、容易に施工可能である。
【００３６】
図４に示すように、横材１４には固定金具１５を取付ける際の目印となるマーキング１４１を形成しておき、固定金具１５の位置決めを、床レベルからの墨出しではなく横材１４上の位置決めにより行えるようにしてもよい。マーキング１４１は例えば横材１４の製造時にその長手方向の所定の位置に予め形成されるが、これに限ることはない。またマーキング１４１の外観等も特に限定されない。
【００３７】
照明器具２０は、例えば光源であるLEDとその設置盤を備えた平面長方形状の照明ユニットとして構成され、横材１４に沿って複数取付け、これらを連結することでライン状の天井照明を可能にする。
【００３８】
照明器具２０は、火災報知器や煙感知器等の小型防災器具など、別の設備機器を照明ライン上に配置できるようにするため、図３に示すように器具の長手方向の一方の端部あるいは両端部に平面部２０１を備えてもよい。照明ライン上の複数の照明器具２０の平面部２０１同士を突き合わせて配置することで、天井構造１に荷重を加えることなく別の設備機器を設置可能なスペースを確保できる。
【００３９】
なお、吊り金物１２や横材１４、固定金具１５の形状等は特に限定されない。例えば図５（ａ）は他の吊り金物１２ａの例であり、頂板１２１’が側板１２２から横材１４の反対側へと延びるように設けられ、横材１４から偏心した位置にある吊材１１によって横材１４を保持できる。また図５（ｂ）の吊り金物１２ｂおよび横材１４ａの例では、横材１４ａが略凹字状であるが、その両上端部を内側に折り返した折返部１４２を更に有する。吊り金物１２ｂは一対の鋼板１２５を有し、これらの鋼板１２５によって折返部１４２を上下から挟み込むことで横材１４ａを保持する。
【００４０】
また図６（ａ）は他の固定金具１５ａの例であり、この例では固定金具１５ａが保持部１５０と取付柱１５６を有しており、固定金具１５ａが保持部１５０によって横材１４に保持され、取付柱１５６の下端に照明器具２０が取付けられる。
【００４１】
保持部１５０は、横材１４を下から覆い、且つ固定金具１５ａを横材１４の両上端部に引掛けて保持可能とするためのものである。保持部１５０は２枚の側板１５１と底板１５３により略凹字状に構成されるが、両側板１５１の上端部を内側に折り返した折返部１５４、折返部１５４の先端から下方に延びる爪部１５５を更に有しており、側板１５１と爪部１５５の間に横材１４の両上端部を挿入して引掛けることが可能である。
【００４２】
固定金具１５ａの保持部１５０は弾性を有する鋼板等により形成されており、図６（ｂ）に示すように両側板１５１を外側に開いた状態でこれらの側板１５１により横材１４の両側壁部を外側から挟み、そのまま矢印に示すように固定金具１５ａを上方に移動させることで図６（ａ）に示すように固定金具１５ａを横材１４に容易に取付けることができる。
【００４３】
保持部１５０は横材１４の長手方向に沿ってスライド可能であり、固定金具１５ａを横材１４に取付けた後でその位置調整を行うことも可能である。
【００４４】
図７（ａ）、（ｂ）はさらに他の固定金具１５ｂの例であり、図７（ａ）は固定金具１５ｂを上から見た図、図７（ｂ）は図７（ａ）の線ｂ−ｂによる鉛直方向の断面を見たものである。
【００４５】
この固定金具１５ｂはボルト１５７と一対のナット１５８から構成されており、ボルト１５７が横材１４ｂの底面に設けられた横材１４ｂの長手方向の長孔１４３に通され、横材１４ｂの底面を上下から挟み込むように一対のナット１５８がボルト１５７に螺合している。照明器具２０はボルト１５７の下端に取付けられる。
【００４６】
ナット１５８を緩めればボルト１５７が長孔１４３内を横材１４ｂの長手方向に沿ってスライドすることが可能になり、これにより固定金具１５ｂの横材１４ｂの長手方向の位置調整を行うことが可能である。またこの例では両ナット１５８の締込量を調整することでボルト１５７を上下させ、照明器具２０の高さを調整することができる。
【００４７】
以上に説明した本実施形態によれば、照明器具２０を、柔軟性を有する天井面材である膜材６と干渉せずに取付けることができ、設置構造１０全体としても膜材６に荷重をかけずにすむ。しかも、照明器具２０は固定金具１５により横材１４の任意の位置に取付けることができ設置時の自由度が高く、照明器具２０ごとに吊材１１を設ける必要もないので施工時や器具設置時の効率面で優れている。
【００４８】
また、設置構造１０は補強材１３を有することで、耐震性を向上させることができ、地震時等の落下を軽減することができる。
【００４９】
また、設置構造１０では固定金具１５によって照明器具２０の高さが調整可能なので、施工現場に応じて照明器具２０の高さを調整し、膜材６との干渉を防ぐことができる。また施工精度の向上にも寄与する。さらに、前記の固定金具１５ａを用いる場合、下方から横材１４に容易に取付けることができ、施工が容易となる。
【００５０】
また、横材１４に、固定金具１５を取付ける際の目印となるマーキング１４１が形成されることで、固定金具１５の位置決めを、床レベルからの墨出しではなく横材１４上の位置決めにより行うことができ、施工が容易となる。
【００５１】
また本実施形態では横材１４に沿って複数の照明器具２０を設置することでライン照明を簡単に形成でき、意匠面で優れている。しかしながら、設置構造１０に取付ける設備機器が照明器具２０に限ることはなく、その他の各種の設備機器を取付けることが可能である。
【００５２】
次に、本発明の別の例を第２の実施形態として説明する。第２の実施形態は野縁の構成が異なる例であり、その他の点については第１の実施形態と略同様なので図等で同じ符号を付して説明を省略する。
【００５３】
［第２の実施形態］
図８（ａ）は、第２の実施形態に係る天井構造について図２と同様に天井裏の平面を示したものである。本実施形態は野縁２’が格子状に形成される点で第１の実施形態と異なる。設置構造１０については第１の実施形態と略同様である。
【００５４】
図８（ｂ）は格子状の野縁２’の一部を図示したものである。本実施形態では野縁２’が長さの異なる野縁材２ａ〜２ｄから構成され、これらをバランスよく配置することで鋼材量を減らし、設備設置の自由度が高い軽量の天井下地となっているので、これを以下説明する。
【００５５】
すなわち、野縁材２ａ（第１の野縁材）は膜材６に沿って長く延びる通し野縁であり、他の野縁材２ｂ〜２ｄのいずれよりも長い。野縁受け３は、この野縁材２ａと平面において直交するように交差し、野縁材２ａの上部に接続される。設置構造１０の横材１４は平面において野縁受け３に平行に配置され、格子状の野縁２’で囲まれる平面の中央を通る。
【００５６】
野縁材２ｂ（第２の野縁材）は、平面において野縁材２ａに交差する方向に延びるように配置され、２本の野縁材２ａを接続する。本実施形態では野縁材２ａ、２ｂの長手方向が平面において直交しており、野縁材２ｂの両端部は、金物３０によって野縁材２ａに接続される。
【００５７】
野縁材２ｃ（第３の野縁材）は、平面において野縁材２ｂに交差し野縁材２ａと平行となる方向に延びるように配置され、２本の野縁材２ｂを接続する。本実施形態では野縁材２ｂ、２ｃの長手方向が平面において直交しており、野縁材２ｃの両端部は、金物４０（４０−１）によって野縁材２ｂに接続される。
【００５８】
野縁材２ｄ（第４の野縁材）は、平面において野縁材２ａ、２ｃに交差し野縁材２ｂと平行となる方向に延びるように配置され、野縁材２ａ、２ｃを接続する。本実施形態では野縁材２ｄと野縁材２ａ、２ｃの長手方向が平面において直交しており、野縁材２ｄの一方の端部が金物４０（４０−２）によって野縁材２ａに接続され、野縁材２ｄの他方の端部が金物４０（４０−３）によって野縁材２ｃに接続される。
【００５９】
これら野縁材２ａ〜２ｄの高さは同一であり、野縁材２ａ〜２ｄは同一平面内に配置される。
【００６０】
図９は金物３０を示す図である。金物３０は野縁材２ａ、２ｂの交差部に配置され、当該交差部を同一平面内に収めつつ、これらを緊結して補強することで面剛性を確保する。金物３０は、野縁材２ａ、２ｂの火打ちとしての機能も有する。この交差部において野縁材２ｂは分断され、各野縁材２ｂの端部は野縁材２ａの側面に対向している。金物３０は、野縁材２ａと各野縁材２ｂの端部を接続する。
【００６１】
野縁材２ａの長手方向に直交する断面は略凹字状であり、その両上端が内側斜め下に折り返されて折返部２１を形成している。これは他の野縁材２ｂ〜２ｄについても同様である。
【００６２】
金物３０は全体として八角形状平面を有し、野縁材２ａ、２ｂを上方から覆うと共に側面を備えた箱状の被覆部３１と、被覆部３１を下から塞ぎ、被覆部３１との間で野縁材２ａ、２ｂを上下から挟み込む底板部３２と、被覆部３１から下方に突出し野縁材２ａ、２ｂに嵌合する嵌合部３３と、を備える。
【００６３】
嵌合部３３は被覆部３１の８箇所に形成されており、野縁材２ａ、２ｂの折返部２１の間に嵌合する形状とされている。具体的には、嵌合部３３は、折返部２１の内側（下側）に嵌り込む突出部を左右一対に備えている。嵌合部３３は、野縁材２ａに対して４箇所、野縁材２ｂのそれぞれに対して２箇所設けられ、野縁材２ａ、２ｂを２箇所以上で嵌合することにより野縁材２ａ、２ｂを強固に固定しこれらの回転が抑制され、野縁材２ａ、２ｂの交差角度が直角に保持される。
【００６４】
なお図９の３１１、３２１はそれぞれ被覆部３１と底板部３２に設けられたビス止め用の突起であり、これらの突起３１１、３２１の位置を合せて突起３１１、３２１同士をビス止めすることで被覆部３１に底板部３２が取付けられる。
【００６５】
図１０は金物４０を示す図である。図１０は、野縁材２ｃ、２ｄの交差部に配置される金物４０（図８（ｂ）の金物４０−３参照）を示したものである。この交差部では野縁材２ｄが分断されており、各野縁材２ｄの端部が野縁材２ｃの側面に対向している。
【００６６】
金物４０は全体として長方形状平面とされており、野縁材２ｃ、２ｄを上方から覆う被覆部４１と、被覆部４１から下方に突出し野縁材２ｃ、２ｄのそれぞれに嵌合する嵌合部４３と、を備える。図の例では嵌合部４３が被覆部４１の４箇所に形成されており、その形状は前記した嵌合部３３と同様である。
【００６７】
嵌合部４３は野縁材２ｃに対して２箇所、野縁材２ｄのそれぞれに対して１箇所設けられており、各嵌合部４３が野縁材２ｃ、２ｄに対して嵌合する。こうして金物４０により野縁材２ｃ、２ｄを同一平面内で接続することができ、野縁材２ｃ、２ｄの間で力を伝達させることが可能になる。
【００６８】
野縁材２ｂ、２ｃの交差部、野縁材２ａ、２ｄの交差部も上記の金物４０（それぞれ、図８（ｂ）の金物４０−１、４０−２参照）により同様に固定される。すなわち、野縁材２ｂ、２ｃの交差部では野縁材２ｃが２本に分断されており、図１０の例において野縁材２ｃ、２ｄをそれぞれ野縁材２ｂ、２ｃと読み替えた場合と同様の固定がなされる。また野縁材２ａ、２ｄの交差部では野縁材２ｄが２本に分断されており、図１０の例において、野縁材２ｃを野縁材２ａと読み替えた場合と同様の固定がなされる。
【００６９】
この野縁２’では、各野縁材２ａ〜２ｄの交差部で一方の野縁材を必ず通すことになり、交差部において当該一方の野縁材が落下することを確実に防止でき、天井の落下を抑制することができる。またこれらの野縁材２ａ〜２ｄを格子状に配置し各野縁材２ａ〜２ｄを金物３０、４０によって接続することで、振動により生じる力を面的且つ均一に分散させることができ、局所的な力の集中等による部材の損傷や落下を防ぐことができる。さらに、野縁材２ｂ〜２ｄは比較的短くなり折れにくくなる。結果、野縁材２ａ〜２ｄの間隔を広げ鋼材量を減らしてより軽量としつつ、安全性や耐久性を高めることができ、前記した設置構造１０による設備設置の自由度が高まる。
【００７０】
しかしながら、設置構造１０は他の天井構造に対しても同様に適用することが可能である。例えば設置構造１０は、野縁２（２’）と野縁受け３を備える吊り天井構造に限らず適用可能であり、構造体に支持したメッシュ構造などの天井下地材に膜材６等を貼る場合などにも適用可能である。さらに、膜材６等が水平面に対し傾斜している場合や、撓んでいる場合にも適用可能である。
【００７１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７２】
１：天井構造
２、２’：野縁
２ａ〜２ｄ：野縁材
３：野縁受け
４、１１：吊材
５：構造体
６：膜材
１０：設置構造
１２、１２ａ、１２ｂ：吊り金物
１３：補強材
１４、１４ａ、１４ｂ：横材
１５、１５ａ、１５ｂ：固定金具
２０：照明器具
６１：開口
１４１：マーキング
１５０：保持部
【図１】
2019112847.tif 000003
【図２】
2019112847.tif 000004
【図３】
2019112847.tif 000005
【図４】
2019112847.tif 000006
【図５】
2019112847.tif 000007
【図６】
2019112847.tif 000008
【図７】
2019112847.tif 000009
【図８】
2019112847.tif 000010
【図９】
2019112847.tif 000011
【図１０】
2019112847.tif 000012